(57)【特許請求の範囲】
【請求項１】
面と面とを密着させ、該両面の間で水密を行う為の水密パッキン構造において、
棒状の弾性部材で、長手方向に伸びる軸に垂直な断面形状が多角形、略円形又は略楕円形に形成されると共に、該軸方向に沿って、長手方向に伸びて連続的又は断続的に穿設された切り欠きにより切り欠き面が形成されたパッキン部材と、
板状で、該パッキン部材の切り欠き面から一部が突出しつつ、該切り欠き面に当接可能な固定部材とを備え、
該固定部材を該パッキン部材の切り欠き面に当接させた状態で、該パッキン部材の切り欠きを有さない面を一方の該面に接しさせて該パッキン部材を該一方の面に固定させ、
該パッキン部材を他方の該面に押圧可能にすることを特徴とする水密パッキン構造。
【請求項２】
前記パッキン部材の切り欠き面から該パッキン部材を固定する前記一方の面側の部分を、該一方の面と前記固定部材との間に固定することを特徴とする請求項１記載の水密パッキン構造。
【請求項３】
前記パッキン部材の切り欠きが溝状で、溝の面により前記切り欠き面が形成されており、
前記固定部材を該溝に挿嵌した状態で、該パッキン部材を前記一方の面に固定することを特徴とする請求項１又は請求項２記載の水密パッキン構造。
【発明の詳細な説明】
【技術分野】
【０００１】
本発明は、面と面とを密着させ、該両面の間で水密を行う為の水密パッキン構造に関する。
【背景技術】
【０００２】
従来より、例えば、介護浴槽等の浴槽の壁面が開閉可能で、その開閉可能な壁面と浴槽本体とを密着させ水密を行うための水密パッキン構造が提案されている。この従来の水密パッキン構造としては、例えば、特許文献１に示されるような構造がある。特許文献１の浴槽は、浴槽の側壁に開口部を設け、開口部に開閉自在な扉を設けた浴槽であって、扉を一枚板状に形成し、扉の一側端を開口部縁部に回動可能に軸支すると共に、開口部縁部と着脱自在に設けたものである。
【０００３】
そして、特許文献１の浴槽では、側壁の開口部の周縁に、その内方に凹段部が設けられ、この凹段部に平帯パッキングが取付けらている。また、扉の側縁及び下縁には切欠き部が設けられ、この切欠き部にも断面が略三角形状の突条パッキングが取付けられている。そして、扉を閉じた際には、扉により開口部が遮蔽されると共に、扉の切欠き部と開口部の凹段部が係合して平帯パッキングと突条パッキングが密接することにより水密が保持される構造である。
【先行技術文献】
【特許文献】
【０００４】
【特許文献１】特開平９−６６０８９号公報
【発明の概要】
【発明が解決しようとする課題】
【０００５】
しかしながら、従来の水密パッキン構造では、パッキンの形状が複雑で、且つ、パッキンが傷んだ場合の交換が煩雑である。
【０００６】
本発明は、このような事情に鑑みてなされたもので、棒状の弾性部材で、長手方向に伸びて連続的又は断続的に穿設された切り欠きの切り欠き面を有するのみのパッキン部材を板状の固定部材で固定するという簡易な構造で且つパッキン部材の交換も容易でありながら水密が可能である水密パッキン構造を提供することにある。
【課題を解決するための手段】
【０００７】
請求項１記載の水密パッキン構造は、棒状の弾性部材で、長手方向に伸びる軸に垂直な断面形状が多角形、略円形又は略楕円形に形成されると共に、軸方向に沿って、長手方向に伸びて連続的又は断続的に穿設された切り欠きにより切り欠き面が形成されたパッキン部材と、板状で、パッキン部材の切り欠き面から一部が突出しつつ、切り欠き面に当接可能な固定部材とを備え、固定部材をパッキン部材の切り欠き面に当接させた状態で、パッキン部材の切り欠きを有さない面を一方の面に接しさせてパッキン部材を一方の面に固定させ、パッキン部材を他方の面に押圧可能にすることを特徴とする。
【０００８】
請求項２記載の水密パッキン構造は、パッキン部材の切り欠き面からパッキン部材を固定する一方の面側の部分を、一方の面と固定部材との間に固定することを特徴とする。
【０００９】
請求項３記載の水密パッキン構造は、パッキン部材の切り欠きが溝状で、溝の面により切り欠き面が形成されており、固定部材を溝に挿嵌した状態で、パッキン部材を一方の面に固定することを特徴とする。
【発明の効果】
【００１０】
本願の発明によれば、棒状の弾性部材で、長手方向に伸びて連続的又は断続的に穿設された切り欠きの切り欠き面を有するのみのパッキン部材を板状の固定部材で固定するという簡易な構造で且つパッキン部材の交換も容易でありながら水密が可能である。
【図面の簡単な説明】
【００１１】
【図１】本発明に係る水密パッキン構造を有する入浴装置も一例を示す参考図である。
【図２】同入浴装置の扉の裏面を示す説明図である。
【図３】図２のＡ−Ａ矢視断面の一部を示す説明図である。
【図４】同入浴装置の上面の一部を示す説明図である。
【図５】パッキン部材の他の実施例を示して説明する図３に相当する説明図である。
【発明を実施するための形態】
【００１２】
以下、本発明の形態について図面を参照しながら具体的に説明する。図１は、本発明に係る水密パッキン構造を有する入浴装置も一例を示す参考図である。図２は、同入浴装置の扉の裏面を示す説明図である。図３は、図２のＡ−Ａ矢視断面の一部を示す説明図である。図４は、同入浴装置の上面の一部を示す説明図である。図５は、パッキン部材の他の実施例を示して説明する図３に相当する説明図である。
【００１３】
本発明に係る水密パッキン構造は、面と面とを密着させ、該両面の間で水密を行う為の構造である。以下の説明で、水密させるものとして、入浴装置１で説明するが、本発明が適用できるものは、入浴装置１に限定されるものではなく、本発明の構造を取り入れることが可能であるものであればよい。
【００１４】
図に示す入浴装置１は、浴槽部１０に形成された浴槽１２の正面側の壁が開口し、その開口を、蝶番１６を介して開閉自在に設けられた扉２０で塞いで、貯湯された浴槽１２に入浴可能にしているものである。そして、浴槽部１０の浴槽１２側の浴槽側面１４と、扉２０側の裏面である扉側面２０ｂとを密着させ、両面の間で水密を行う為の水密パッキン構造を有している。
【００１５】
浴槽側面１４は、平坦な面で、特に構造は有しておらず、扉２０側の構造について説明するが、本実施の形態では、この水密パッキン構造を扉２０側に有しているが、浴槽１２側であってもよくどちらに限定されるものではない。まず、扉２０は、扉２０の外側の面である扉外側２０ａをなす扉外側部材２２と、扉２０の内側の面である扉側面２０ｂをなす扉内側部材２４から形成されている。
【００１６】
そして、扉２０の扉側面２０ｂの浴槽１２側の浴槽側面１４に対向する部分の水密パッキン構造を設けたい部分に、溝状のパッキン部材凹部２０ｃが穿設されている。また、パッキン部材凹部２０ｃの外側には、パッキン部材凹部２０ｃに沿うように固定部材凹部２０ｄが穿設されている。固定部材凹部２０ｄの深さは、後述する固定部材３２の厚み程度で、パッキン部材凹部２０ｃの深さは、固定部材凹部２０ｄよりもわずかに深い程度である。尚、パッキン部材凹部２０ｃ及び固定部材凹部２０ｄを、必ずしも設ける必要はない。
【００１７】
水密パッキン構造は、パッキン部材３０と固定部材３２とで構成されている。具体的に、パッキン部材３０は、棒状の弾性部材で、長手方向に伸びる軸に垂直な断面形状が多角形である長方形に形成されると共に、軸方向に沿って、長手方向に伸びて連続的又は断続的（本実施の形態のパッキン部材３０では連続的）に穿設された溝３１を有している。この溝３１は、溝状の切り欠きであり、内部に切り欠き面３１ａが形成されている。パッキン部材３０の長手方向に伸びる軸に垂直な断面形状は、多角形、略円形又は略楕円形といった水密可能な形状であればよい。パッキン部材３０の材質は、水密できるパッキンとしての機能が得られる弾性部材であればよく、例えば、天然ゴムや発泡樹脂等で、シリコーンゴム、フッ素ゴム、クロロプレンゴムやＮＢＲやＥＰＴ等の合成ゴム、ＰＴＦＥ等のフッ素樹脂等の材質の他、チューブ状であってもよい。
【００１８】
固定部材３２は、板状で、パッキン部材３０の溝３１から一部が露出しつつ、溝３１に挿嵌可能なものである。固定部材３２の材質は、固くて容易に折れ曲がったり容易に破損しないものであればよく、樹脂板や金属板である。
【００１９】
そして、固定部材３２をパッキン部材３０の溝３１に挿嵌した状態で、パッキン部材３０をパッキン部材凹部２０ｃに、固定部材３２を固定部材凹部２０ｄにそれぞれ入れ込み、固定部材３２のパッキン部材３０の溝３１から露出した部分を扉側面２０ｂにネジ３４を介して固定するようにする。尚、固定部材３２を扉側面２０ｂに固定する方法としては、ネジ３４によらず、例えば、扉側面２０ｂから起立するリブに固定部材３２を嵌合させる方法等でもよく、ネジ３４に限定されるものではない。
【００２０】
尚、パッキン部材３０は、溝３１により切り欠きが形成されているが、長手方向に伸びて連続的又は断続的に穿設された切り欠きにより切り欠き面が形成された形状としては、例えば、図５に示すようなパッキン部材４０であってもよい。このパッキン部材４０は、長手方向に伸びて角部に連続的又は断続的に穿設された切り欠き４１により切り欠き面４１ａが形成されている。そして、固定部材３２をパッキン部材４０の切り欠き面４１ａに当接させた状態で、パッキン部材４０の切り欠きを有さない面を扉側面２０ｂに接しさせてパッキン部材４０を扉側面２０ｂに固定させ、パッキン部材４０を浴槽側面１４に押圧可能にしている。
【００２１】
このような構造の本発明の水密パッキン構造では、扉２０を浴槽１２に向かって閉じ、そして、パッキン部材３０，４０が固定された扉２０の扉側面２０ｂを、浴槽側面１４に押圧することで、浴槽１２の水密が可能となる。特に、本発明の水密パッキン構造によれば、棒状の弾性部材で、長手方向に伸びて連続的又は断続的に穿設された切り欠きとしての溝３１の切り欠き面３１ａや切り欠き４１の切り欠き面４１ａを有するのみのパッキン部材３０，４０を板状の固定部材３２で固定するという簡易な構造で且つパッキン部材３０，４０の交換も容易でありながら水密が可能である。
【００２２】
さらに、本発明の水密パッキン構造は、パッキン部材３０，４０の切り欠き面３１ａ，４１ａからパッキン部材３０，４０を固定する扉側面２０ｂ側の部分を、扉側面２０ｂと固定部材３２との間に固定することで、挟み込むような構造で固定することから、より強固にパッキン部材３０，４０を保持することが可能である。
【００２３】
さらに、本発明の水密パッキン構造は、パッキン部材３０の切り欠きが溝状で、溝３１の面により切り欠き面３１ａが形成されており、固定部材３２を溝３１に挿嵌した状態で、パッキン部材３０を一方の面に固定することから、パッキン部材３０もパッキン部材４０も共に面で固定されることになり、パッキン部材３０，４０の多くの部分が扉側面２０ｂに押し当てられて固定された状態で、より水密性の信頼性を増すことができる。
【産業上の利用可能性】
【００２４】
以上のように、本発明によれば、棒状の弾性部材で、長手方向に伸びて連続的又は断続的に穿設された切り欠きの切り欠き面を有するのみのパッキン部材を板状の固定部材で固定するという簡易な構造で且つパッキン部材の交換も容易でありながら水密が可能である水密パッキン構造を提供することができる。
【符号の説明】
【００２５】
１・・・・・入浴装置
１０・・・・浴槽部
１２・・・・浴槽
１４・・・・浴槽側面
１６・・・・蝶番
２０・・・・扉
２０ａ・・・扉外側
２０ｂ・・・扉側面
２０ｃ・・・パッキン部材凹部
２０ｄ・・・固定部材凹部
２２・・・・扉外側部材
２４・・・・扉内側部材
３０・・・・パッキン部材
３１・・・・溝
３１ａ・・・切り欠き面
３２・・・・固定部材
３４・・・・ネジ
４０・・・・パッキン部材
４１・・・・切り欠き
４１ａ・・・切り欠き面
【図１】
0006652861.tif 000002
【図２】
0006652861.tif 000003
【図３】
0006652861.tif 000004
【図４】
0006652861.tif 000005
【図５】
0006652861.tif 000006